(57)【要約】【課題】  複数のストロボ装置を使用したストロボ撮影において、正確に同期して発光させる。【解決手段】  マスターの携帯電話として撮影ボタンが操作されると、発光信号に基づいてＡＮＤ回路５２の出力がハイレベルに切り替わり、その結果ストロボ発光部３０においてストロボ発光するとともに、ハイレベルの信号がマスター端子１０Ｍから出力される。一方、スレーブの携帯電話の場合、スレーブ端子１０Ｓに入力されるハイレベルの信号に基づいてＡＮＤ回路５２の出力がハイレベルに切り替わり、ストロボ発光する。【選択図】        図３
2007079235.tif 000002
【特許請求の範囲】
【請求項１】
ストロボ撮影を実行させるストロボ撮影部材と、
補助光を発光するストロボ発光手段と、
補助光の発光を制御するストロボ発光制御手段と、
他の携帯機器に対して補助光を発光させる発光制御信号を出力可能な出力部と、
他の携帯機器から送られてくる発光制御信号を入力可能な入力部とを備え、
前記ストロボ発光制御手段が、
前記ストロボ撮影部材が操作された場合、前記ストロボ発光手段において補助光を発光させるとともに、前記発光制御信号を前記出力部から出力させ、
他の携帯機器からの発光制御信号が前記入力部へ入力された場合、前記ストロボ発光手段において補助光を発光させることを特徴とする撮影機能付き携帯機器。
【請求項２】
前記ストロボ発光制御手段が、
前記入力部に接続され、前記発光制御信号または前記ストロボ撮影部材の操作に応じた発光信号に基づいてハイレベル信号を出力するＯＲ回路と、
前記ストロボ発光手段に接続され、前記ＯＲ回路からのハイレベルの信号に基づいて前記ストロボ発光手段による発光を実行させるハイレベルの信号を前記ストロボ発光手段へ出力するＡＮＤ回路と
を有することを特徴とする請求項１に記載の撮影機能付き携帯機器。
【請求項３】
前記出力部が、前記発光制御信号を出力可能な第１の端子を有し、
前記入力部が、他の撮影機器の第１の端子と接続可能であって、前記発光制御信号を入力可能な第２の端子を有することを特徴とする請求項１に記載の撮影機能付き携帯機器。
【請求項４】
前記ストロボ発光制御手段が、発光量を検出して補助光の発光を所定のタイミングで停止させる調光手段を有し、
前記ストロボ撮影部材が操作された場合、補助光発光停止に合わせて、他の携帯機器の補助光の発光を停止させる発光停止制御信号を前記出力部から出力させ、
前記入力部から発光停止制御信号が入力された場合、補助光の発光を停止させることを特徴とする請求項１に記載の撮影機能付き携帯機器。
【請求項５】
前記ストロボ発光制御手段が、前記調光手段において検出する発光量が所定の発光量に達しない場合、補助光の発光を停止させることを特徴とする請求項４に記載の撮影機能付き携帯機器。
【請求項６】
前記ストロボ発光制御手段が、他の携帯機器からの発光制御信号が前記入力部へ入力された場合、前記発光制御信号を前記出力部から出力させることを特徴とする請求項１に記載の撮影機能付き携帯機器。
【請求項７】
前記第２の端子に対する他の携帯機器の第１の端子の接続を検出する接続検出手段をさらに有し、
前記ストロボ発光制御手段が、接続が検出された場合、補助光の発光を停止させることを特徴とする請求項３に記載の撮影機能付き携帯機器。
【請求項８】
補助光を発光するストロボ発光手段と、
補助光の発光を制御するストロボ発光制御手段とを備え、
前記ストロボ発光制御手段が、
ストロボ撮影を実行させるストロボ撮影部材が操作された場合、前記ストロボ発光手段において補助光を発光させるとともに、他の携帯機器に対して補助光を発光させる発光制御信号を出力部から出力させ、
他の携帯機器からの発光制御信号が入力部へ入力された場合、前記ストロボ発光手段において補助光を発光させることを特徴とするストロボ撮影装置。
【発明の詳細な説明】
【技術分野】
【０００１】
本発明は、カメラ等の撮影装置、あるいは撮影機能を備えた携帯電話など、撮影機能付携帯機器に関し、特に、ストロボ発光可能な携帯機器に関する。
【背景技術】
【０００２】
カメラ、あるいは撮影機能を備えた携帯電話においては、内蔵ストロボによってストロボ撮影が可能である（特許文献１参照）。また、複数のストロボ装置を使って撮影する場合、スレーブ機能を備えたストロボ装置あるいはストロボ内蔵型カメラを被写体周りに配置することによって、撮影用カメラのストロボ光に同期させて他のストロボ装置を発光させることが可能である。例えば、ストロボ内蔵型カメラを使用する場合、スレーブとなる（ストロボ装置として機能する）カメラがマスターとなる（撮影動作およびストロボ発光を行う）カメラのストロボ光を検出し、その検出した光に同期してストロボ光を発光する（特許文献２参照）。
【特許文献１】特開２００４−１６６１２９号公報
【特許文献２】特許第３１９９８９５号公報
【発明の開示】
【発明が解決しようとする課題】
【０００３】
ストロボ内蔵型の携帯電話の場合、メインコンデンサの容量等の問題によって発光量が不足し、夜間等において被写体を十分に照明することができない。また、マスターのカメラのストロボ光を検知してスレーブ側のストロボ発光を同期発光させる場合、カメラ／ストロボ装置の設置場所など撮影条件等により、カメラのストロボ光に対して正確に同期発光できない場合が生じ、記録画像の画質に影響を及ぼす。
【課題を解決するための手段】
【０００４】
本発明の撮影機能を備えた携帯機器は、デジタルカメラなどの撮影装置、あるいはカメラ付き携帯電話など、撮影機能を備えた携帯機器であり、エレクトロニックフラッシュによる撮影機能として、いわゆるマスター／スレーブ機能を備え、必要に応じてマスターとしての撮影装置、スレーブとしての発光装置として機能する。
【０００５】
本発明の携帯機器は、ストロボ撮影を実行させるストロボ撮影部材と、補助光を発光するストロボ発光手段と、ストロボ撮影部材に対する操作に従って、補助光の発光を制御するストロボ発光制御手段を備える。ここでの「ストロボ発光手段」は、キセノン放電管を用いた構成に限定されず、任意の発光体を用いてデイライト以外の光を補助光として発光する構成を表す。例えば携帯電話の場合、ＬＥＤなどの発光体を用いてストロボ発光手段を構成すればよい。カメラであればストロボ撮影部材としてレリーズボタンを設け、また、携帯電話であれば撮影用ボタンを設ければよい。
【０００６】
本発明の携帯機器は、他の携帯機器に対して補助光を発光させる発光制御信号を出力可能な出力部と、他の携帯機器から送られてくる発光制御信号を入力可能な入力部とを備える。ただし、ここでの他の携帯機器は、本発明の携帯機器を複数配置したときの自身以外の携帯機器を示す。そして、ストロボ発光制御手段は、ストロボ撮影部材が操作された場合、マスターの携帯機器として機能し、ストロボ発光手段において補助光を発光させるとともに、発光制御信号を出力部から出力させる。また、他の携帯機器からの発光制御信号が入力部へ入力された場合、スレーブの携帯機器として機能し、ストロボ発光手段において補助光を発光させる。
【０００７】
ストロボ撮影部材が操作された携帯機器は、マスター機器として補助光を発光するとともに、他の携帯機器に向けて補助光を発光させる信号を送信する。マスター以外のスレーブとなる携帯機器は、その信号を受信することによって補助光を発光させる。ユーザは、任意の携帯機器をマスターとして使用（ストロボ撮影部材を操作し）、マスターが決定されると自動的に他の機器がスレーブとして補助光を発光する。
【０００８】
複数の携帯機器の接続に関しては、端子を設けてケーブルで携帯機器の間を接続し、あるいは直結するように接続してもよい。また、あるいは送信部、受信部を設け、無線で発光制御信号を伝送するように構成してもよい。携帯電話などの携帯性を考慮すれば、ピン等によって一体的に接続できるように構成するのがよい。例えば、出力部に関し、発光制御信号を出力可能な第１の端子を設ける。そして、入力部に関し、他の携帯機器の第１の端子と接続可能であって、発光制御信号を入力可能な第２の端子を設ける。複数の携帯機器を直列的に接続させて発光させるため、前記ストロボ発光制御手段は、他の携帯機器からの発光制御信号が前記入力部へ入力された場合、前記発光制御信号を前記出力部から出力させるのがよい。この場合、任意の数の携帯機器を繋げ、一方の携帯機器における第１の端子を他方の携帯機器における第２の端子に接続させることで、次々と発光制御信号がスレーブとなる携帯機器に送信される。
【０００９】
ストロボ発光制御手段は、ハードウェア／ソフトウェアどちらによって構成してもよい。例えば、ハードウェアで構成する場合、入力部と接続され、発光制御信号またはストロボ撮影部材の操作に応じた発光信号に基づいてハイレベル信号を出力するＯＲ回路と、ストロボ発光手段と接続され、ＯＲ回路からのハイレベルの信号に基づいてストロボ発光手段による発光を実行させるハイレベルの信号をストロボ発光手段へ出力するＡＮＤ回路とを設ける。
【００１０】
オートストロボ機能をもたせるとともに、マスターの発光停止に合わせてスレーブも発光停止させるため、ストロボ発光制御手段は、ストロボ発光を停止させる調光手段を備え、ストロボ撮影部材が操作された場合、補助光発光停止に合わせて、他の携帯機器の補助光の発光を停止させる発光停止制御信号を出力部から出力させ、入力部から発光停止制御信号が入力された場合、補助光の発光を停止させることが望ましい。被写体までの距離が遠い場合など調光動作が難しい撮影条件では、ストロボ発光制御手段が、前記調光手段において検出する発光量が所定の発光量に達しない場合、ストロボ発光を停止させるのが望ましい。また、スレーブ機能として使用する場合にはストロボ撮影動作を禁止するため、第２の端子に対する他の携帯機器の第１の端子の接続を検出する接続検出手段を設け、前記ストロボ発光制御手段が、接続が検出された場合、補助光の発光を停止させるのが望ましい。
【００１１】
本発明のストロボ撮影装置は、補助光を発光するストロボ発光手段と、補助光の発光を制御するストロボ発光制御手段とを備え、前記ストロボ発光制御手段が、ストロボ撮影を実行させるストロボ撮影部材が操作された場合、前記ストロボ発光手段において補助光を発光させるとともに、他の携帯機器に対して補助光を発光させる発光制御信号を出力部から出力させ、他の携帯機器からの発光制御信号が入力部へ入力された場合、前記ストロボ発光手段において補助光を発光させることを特徴とする。
【発明の効果】
【００１２】
本発明によれば、複数のストロボ装置を使用したストロボ撮影において、正確に同期して発光させることができる。
【発明を実施するための最良の形態】
【００１３】
以下、図面を参照して本発明の実施形態について説明する。
【００１４】
図１は、第１の実施形態である携帯電話およびその接続状態を示した図である。
【００１５】
携帯電話１０の操作面１０Ｂには、ＬＣＤなどの表示部１６と、ダイヤルボタンや選択ボタンなどの操作ボタン（図示せず）が設けられている。また、携帯電話１０は撮影機能を備え、撮影を実行する撮影ボタン１４が操作面に設けられている。さらに、携帯電話１０はストロボ撮影可能であり、携帯電話１０の裏面には補助光としてストロボ光が射出する発光窓（図示せず）が形成されるとともに、ストロボ充電用のストロボボタン１２が操作面１０Ｂに設けられている。
【００１６】
携帯電話１０は、同機種の他の携帯電話と互いに接続可能であり、各携帯電話は、接続用のマスター端子１０Ｍとスレーブ端子１０Ｓとを備える。マスター端子１０Ｍには剛性の接続部材１１が取付け可能であり、他の携帯電話１０のスレーブ端子１０Ｓには接続部材１１の端部が接続される。携帯電話１０の上部には、柱状の保持部材１３が取付けられており、相対する位置に保持部材１３が嵌合する受部１０Ｌが形成されている。携帯電話１０のマスター端子１０Ｍには、隣接する携帯電話１０のスレーブ端子１０Ｓが接続され、スレーブ端子１０Ｓには、反対側に隣接する携帯電話１０のマスター端子１０Ｍが接続され、これにより複数の携帯電話が一体的に直列的に接続される。
【００１７】
ストロボ充電のためストロボボタン１２が操作されるとストロボ充電が開始され、ストロボ充電が完了すると充電完了を示すため点滅表示が表示部１６において実行される。そして、撮影ボタン１４が操作させると、被写体が記録される。ここでは、オートストロボによる調光動作が実行可能である。
【００１８】
携帯電話１０は、後述するように、ストロボ撮影に関してマスター／スレーブ機能を備えており、自身のストロボボタン１２、撮影ボタン１４が操作された場合、その操作によって自らストロボ光を発光可能であり、その一方、他の携帯電話１０においてストロボボタン１２、撮影ボタン１４が操作された場合、他の携帯電話の発光に合わせてストロボ光を発光することができる。
【００１９】
図２は、携帯電話１０のブロック図である。
【００２０】
携帯電話１０は、システムコントロール回路２０、発光部２２、表示処理部２４、通信部２６、撮像部２８とを備え、ＣＰＵ、ＲＯＭ、ＲＡＭ等を含むシステムコントロール回路２０は、携帯電話１０の通信処理、表示処理、撮影動作処理など一連の処理を制御する。接続検出回路７０は、不図示の電源電圧でプルアップされた抵抗とスイッチとを有し、スレーブ端子に接続される携帯電話、すなわちマスターとなる携帯電話が接続されると、ＬＯＷ信号を出力する。
【００２１】
通信部２６は、電話使用時に音声を電気信号に変換するとともに、所定の規格に従って通話信号を発信する。また、他の携帯電話からの通話信号を受信し、電気信号を音声に変換する。操作ボタンに対する操作が検出されると、表示処理部２４は、電話番号などの文字情報、キャラクタ情報を表示するようにキャラクタ信号を生成し、これにより文字情報等が表示部１６に表示される。
【００２２】
撮影モードが設定された場合、対物レンズ３２によって被写体像がＣＣＤ３０Ａに結像されると、被写体像に応じた画像信号が生成される。画像信号がＣＣＤ３０Ａから読み出されると、撮像部２８では画像信号に対して様々な処理が施される。そして、表示処理部２４では、画像信号に基づいて動画像表示処理が実行され、動画像が表示部１６に表示される。ユーザによって撮影ボタン１４が操作されると、撮影ボタンスイッチ１４ＡがＯＮ状態になり、静止画撮影のための露光制御が開始される。すなわち、不要電荷信号を吐き出した後、新たにＣＣＤ３０Ａの露光が開始される。そして、所定時間経過後に、蓄積された画像信号がＣＣＤ３０Ａから読み出され、撮像部２８において処理された後、画像データがメモリ（図示せず）に記録される。また、ストロボ撮影の場合、ストロボボタン１２の操作によってストロボボタンスイッチ１２ＡがＯＮ状態になり、ストロボが充電され、ＣＣＤ３０Ａの露光期間中における所定のタイミングで発光制御される。
【００２３】
図３は、発光部２２の構成を示した回路図である。
【００２４】
発光部２２は、ストロボ発光部３０と発光制御部５０とから構成されており、マスター端子１０Ｍ、スレーブ端子１０Ｓに接続されている。ストロボ発光部３０は、電源３１、ストロボ充電回路３２、メインコンデンサ３４、トリガートランス３６、キセノン管３８、ＩＧＢＴ（Insulate-Gate Bipolar Transistor）４０とを備える。発光制御部５０は、ＡＮＤ回路５２、ＯＲ回路５４、ＡＮＤ回路７１、コンパレータ５６、フォトダイオード５８、基準電圧源６０、積分コンデンサ６２、トランジスタ６４、ＯＲ回路７５、ＮＯＴ回路（デジタルインバータ）７７とを備える。
【００２５】
ストロボ充電回路３２は、ストロボボタン１２の操作に従ってメインコンデンサ３４に電荷を蓄積させる昇圧回路であり、充電が完了すると充電完了を示す信号をシステムコントロール回路２０へ出力する。ＩＧＢＴ４０は、ストロボ発光の停止タイミングを制御するトランジスタである。トリガートランス３６は、ＩＧＢＴ４０がＯＮ状態となった時に、キセノン管３８の放電を開始させる回路であり、メインコンデンサ３４の蓄積電荷がキセノン管３８の電極へ一度に流れることにより、ストロボ光（補助光）が発光する。ＩＧＢＴ４０がＯＮ状態からＯＦＦ状態に切り替えられると、メインコンデンサ３４からキセノン管３８への電荷移動が停止する。
【００２６】
フォトダイオード５８は、被写体から反射したストロボ光の発光強度を検出し、発光強度に応じた電流が積分コンデンサ６２において積分されて電圧に換算される。コンパレータ５６は、積分コンデンサ６２の電圧と基準電圧源６０の電圧値とを比較し、ストロボ光の発光量が所定量に達しているか判別する。また、トランジスタ６４には、ＯＲ回路７５が接続され、ＯＲ回路７５の一方の入力側はシステムコントロール回路２０に接続され、他方の入力側にはＮＯＴ回路７７を介して接続検出回路７０の出力に接続されている。
【００２７】
ＯＲ回路５４の入力側は、スレーブ端子１０ＳとＡＮＤ回路７１とに接続され、出力側はＡＮＤ回路５２に接続される。ＡＮＤ回路７１の一方の入力側はシステムコントロール回路２０に接続され、他方の入力側は接続検出回路７０の出力に接続されている。ＡＮＤ回路５２の入力側は、ＯＲ回路５４とともに、コンパレータ５６の出力側と接続され、また、システムコントロール回路２０からのリセット信号が入力される。そして、ＡＮＤ回路５２の出力側は、マスター端子１０Ｍと、ストロボ発光部３０のＩＧＢＴ４０に接続される。なお、ＡＮＤ回路５２は、ＯＲ回路５４の出力とコンパレータ５６の出力とを入力するＡＮＤ回路と、そのＡＮＤ回路からの出力とリセット信号を入力するＡＮＤ回路から構成されている。
【００２８】
マスターとなる携帯電話がスレーブ端子１０Ｓに接続されると、接続検出回路７０はＬＯＷレベルの信号を出力する。これによりＮＯＴ回路７７の出力がハイレベルとなってトランジスタ６４がＯＮ状態に切り替えられ、積分コンデンサ６２は短絡されて積分しない状態となる。またＡＮＤ回路７１の出力も、接続検出回路７０からＬＯＷレベルの信号が出力されているため、ローレベルとなる。これにより、スレーブ端子１０Ｓからの入力信号による発光制御以外は非動作状態となり、スレーブ動作する側の回路による誤動作が防止される。
【００２９】
図４は、マスターとなる携帯電話のストロボ撮影動作のタイミングチャートである。図５は、スレーブとなる携帯電話のストロボ撮影動作のタイミングチャートである。図４、図５を参照しながら、ストロボ撮影動作について説明する。ここでは、２台の携帯電話が接続された状態でストロボ撮影が行われる。また、２台の携帯電話の発光部２２は、ともに図３に示す構成になっている。
【００３０】
システムコントロール回路５０から出力される調光信号は、通常ハイレベル信号であり、トランジスタ６４はＯＮ状態に維持される。そのため、コンパレータ５６における積分コンデンサ６２側の入力電位は０Ｖであり、ＡＮＤ回路５２に接続されるコンパレータ５６の出力はハイレベル信号になる。また、ＡＮＤ回路５２に入力されるリセット信号も、通常ハイレベルで維持される。一方、ＯＲ回路５４は、スレーブ端１０Ｓあるいはシステムコントロール回路５０からストロボ発光させる発光信号の入力があった場合にハイレベル信号をＡＮＤ回路５２に出力する。したがって、ＡＮＤ回路５２はストロボ撮影が実行、すなわち発光のタイミングになるまでローレベル信号を出力する。
【００３１】
ユーザによって携帯電話１０のストロボボタン１２が操作されると（符号Ｔ１）、ストロボ充電が開始される。ストロボ充電が完了すると（符号Ｔ２）、充電完了信号がシステムコントロール回路２０へ送られる。一方、接続されているもう一方の携帯電話１０においても、ストロボボタン１２が操作され、ストロボ充電が実行される（図５の符号Ｓ１、Ｓ２）。
【００３２】
ユーザによってマスターとなる携帯電話１０の撮影ボタン１４が操作されると、ＣＣＤ２０の露出が開始される（符号Ｔ３、Ｔ４）。そして、露出開始に合わせて、ストロボ光の発光前に調光信号がローレベル信号に切り替えられる（符号Ｔ５）。これにより、トランジスタ６４がＯＦＦ状態になる。
【００３３】
撮影ボタン１４に対する操作に合わせてシステムコントロール回路２０から発光信号が所定のタイミングで出力される、すなわちハイレベルの信号がシステムコントロール回路２０から出力されると（符号Ｔ６）、接続検出回路７０からの出力信号はマスターとして機能するためハイレベルであることから、ハイレベルの信号がＯＲ回路５４へ入力される。その結果、ハイレベル信号がＯＲ回路５４からＡＮＤ回路５２へ出力される。コンパレータ５６の出力およびリセット信号がハイレベルであることから、ハイレベル信号がＡＮＤ回路５２から出力され、ＩＧＢＴ４０がＯＮ状態となる。これにより、キセノン管３８が放電して発光する。また、マスター端子１０Ｍにもハイレベルの信号が出力される。
【００３４】
ストロボ発光により、フォトダイオード５８はストロボ光を受光し、受光量が積分コンデンサ６２において電圧に換算される。コンパレータ５６は、基準電圧と積分コンデンサ６２の電圧とを比較し、積分コンデンサ６２の電圧が基準電圧源６０の基準電圧を超えた場合、ローレベルの信号を出力する。その結果、ＡＮＤ回路５２の出力信号はローレベル信号となり、ＩＧＢＴ４０はＯＦＦ状態に切り替えられる。これにより、ストロボ発光が停止する。また、マスター端子１０Ｍの出力信号がローレベルに切り替えられる（符号Ｔ７）。
【００３５】
露出が終了した後（符号Ｔ８）、調光信号がハイレベルの信号に切り替えられる。これにより、トランジスタ６４がＯＮ状態となり、コンパレータ５６の出力がハイレベルの信号になる（符号Ｔ９）。そして、画像信号がＣＣＤ３０Ａから読み出され、画像データが記録される（符号Ｔ１０）。
【００３６】
一方、スレーブとなる携帯電話に対しては、マスターとなる携帯電話から送られてくる信号がスレーブ端子１０Ｓに入力されており、通常状態、すなわち発光前においてローレベルの信号が入力される（図５参照）。マスターの携帯電話がストロボ発光によってハイレベルの信号を出力すると（図４の符号Ｔ６）、スレーブ端子１０Ｓの入力信号がハイレベルの信号に切り替わる（符号Ｓ３）。その結果、ＯＲ回路５４の出力がハイレベル信号に切り替わる。コンパレータ５６の出力信号がハイレベル、リセット信号がハイレベルであることから、ＡＮＤ回路５２からハイレベルの信号が出力され、これにより、ＩＧＢＴ４０がＯＮ状態となって、ストロボ光が発光する。すなわち、マスターの携帯電話と同期してストロボ発光する。また、ハイレベルの信号がマスター端子１０Ｍへ出力される。
【００３７】
発光停止によってマスターとなる携帯電話のスレーブ端子１０Ｓがローレベルになると（符号Ｓ４）、ＯＲ回路５４の出力およびＡＮＤ回路５２の出力がローレベルとなり、ＩＧＢＴ４０がＯＦＦ状態に切り替わる。これにより、ストロボ発光が停止するとともに、ローレベルの信号がマスター端子１０Ｍへ出力される。
【００３８】
以上のように本実施形態によれば、マスターの携帯電話として撮影ボタン１４が操作されると、発光信号に基づいてＡＮＤ回路５２の出力がハイレベルに切り替わり、その結果ストロボ発光部３０においてストロボ発光するとともに、ハイレベルの信号がマスター端子１０Ｍから出力される。一方、スレーブの携帯電話の場合、スレーブ端子１０Ｓに入力されるハイレベルの信号に基づいてＡＮＤ回路５２の出力がハイレベルに切り替わり、ストロボ発光する。また、マスター端子１０Ｍからハイレベルの信号が出力され、さらに接続された携帯電話においてもストロボ発光する。
【００３９】
次に、図６〜図８を用いて、第２の実施形態について説明する。第２の実施形態では、環状に携帯電話が接続可能であるとともに、遠距離にある被写体に対応したストロボ撮影が実行可能である。それ以外の構成については、第１の実施形態と同じである。
【００４０】
図６は、第２の実施形態における携帯機器およびその接続状態を示した図である。
【００４１】
携帯機器１０’の底部には、マスター端子１０’Ｍ、スレーブ端子１０’Ｓが設けられており、接続ケーブル１００Ｔが隣接する携帯機器のマスター端子１０’Ｍ、スレーブ端子１０’Ｓに接続される。ここでは、すべての携帯機器においてマスター側、スレーブ側ともに他の携帯機器と接続されており、一方の端にある（ｎ番目）の携帯機器は他方の端（１番目）にある携帯機器と接続される。
【００４２】
図７は、第２の実施形態におけるマスター側携帯機器のストロボ撮影動作のタイミングチャートである。図８は、第２の実施形態におけるスレーブ側携帯機器のストロボ撮影動作のタイミングチャートである。
【００４３】
図７に示すように、第１の実施形態と同様に、マスターとなる携帯機器１０’の撮影ボタン１４が操作されると、ＣＣＤの露光が開始され、調光信号がローレベルに切り替えられる。そして、発光信号がハイレベルに切り替わることによってストロボ発光するとともに、ハイレベルの信号がマスター端子１０’Ｍへ送られる（符号Ｕ１）。
【００４４】
マスターとなる携帯機器１０’では、発光強度に応じた電流がフォトダイオード５８において検出され、積分コンデンサ６２に電圧値として積算される。ここでは、被写体が遠距離にあるため、発光開始から所定時間ＴＳ１を経過しても積算電圧が基準電圧を超えない。そのため、所定期間経過すると、リセット信号がローレベルに切り替えられる。その結果、ＡＮＤ回路５２からの出力がローレベルの信号になり、ローレベルの信号がマスター端子１０’Ｍから出力される。
【００４５】
スレーブとなる携帯機器１０’では、ハイレベルの信号がスレーブ端子１０’Ｓに入力されると、ＯＲ回路５４の出力がハイレベルになることによってＡＮＤ回路５２の出力がハイレベルの信号となり、ストロボ発光する（符号Ｑ１）。そして、スレーブ端子１０’Ｓに入力される信号がローレベルに切り替えられると、マスター端子１０’Ｍからの出力がローレベル信号に切り替わる（符号Ｑ２）。
【００４６】
発光制御部５０については、ＡＮＤ回路、ＯＲ回路以外の論理回路を使用してもよい。また、発光制御の構成については、発光制御部５０のようなハードウェアでなく、ソフトウェアによって構成してもよい。スレーブの携帯機器への信号送信に関しては、端子にケーブルを介して接続させる以外にも、ワイヤレス通信など無線通信によって信号を送信してもよい。また、携帯電話以外のカメラ等の撮影装置、あるいは撮影機能付の携帯機器に適用してもよい。
【００４７】
ストロボ発光に関しては、キセノンガスの放電管などによって構成するのに限定されず、携帯電話などではＬＥＤなどの発光体を用いてもよい。この場合、電流をＯＮ／ＯＦＦ制御することによってＬＥＤの発光が制御される。
【図面の簡単な説明】
【００４８】
【図１】第１の実施形態である携帯電話およびその接続状態を示した図である。
【図２】携帯電話のブロック図である。
【図３】発光部の構成を示した回路図である。
【図４】マスターとなる携帯電話のストロボ撮影動作のタイミングチャートである。
【図５】スレーブとなる携帯電話のストロボ撮影動作のタイミングチャートである。
【図６】第２の実施形態における携帯機器およびその接続状態を示した図である。
【図７】第２の実施形態におけるマスター側携帯機器のストロボ撮影動作のタイミングチャートである。
【図８】第２の実施形態におけるスレーブ側携帯機器のストロボ撮影動作のタイミングチャートである。
【符号の説明】
【００４９】
１０  携帯電話
１０Ｍ  マスター端子（第１の端子、出力部）
１０Ｓ  スレーブ端子（第２の端子、入力部）
１２  ストロボボタン
１４  撮影ボタン（ストロボ撮影部材）
２０  システムコントロール回路
２２  発光部
３０  ストロボ発光部（ストロボ発光手段）
５０  発光制御部（ストロボ発光制御手段）
５２  ＡＮＤ回路
５４  ＯＲ回路
【図１】
2007079235.tif 000003
【図２】
2007079235.tif 000004
【図３】
2007079235.tif 000005
【図４】
2007079235.tif 000006
【図５】
2007079235.tif 000007
【図６】
2007079235.tif 000008
【図７】
2007079235.tif 000009
【図８】
2007079235.tif 000010